(57)【要約】【課題】  タブレット等の電子機器を収容でき、しかも電子機器をスリープ状態とさせ得る電子機器収容体の提供。【解決手段】  永久磁石Ｍ１，Ｍ２が表地６の二辺における縁部寄りに配置され、永久磁石が裏地７の二辺における縁部寄りに配置され、表地６に設けられた永久磁石Ｍ１，Ｍ２どうしは、辺方向中心位置に対して略等距離だけ反対方向に位置ずれして配置され、裏地７に設けられた永久磁石どうしは、辺方向中心位置に対して略等距離だけ反対方向に位置ずれして配置され、同じ辺側における表地６側の永久磁石Ｍ１，Ｍ２、および裏地７側の永久磁石どうしは、辺方向中心位置に対して略等距離だけ反対方向に位置ずれして配置されている電子機器収容体。【選択図】  図１
2019008698.tif 000002
【特許請求の範囲】
【請求項１】
袋状に形成されるとともに、内部に電子機器を収容する収容スペースが形成された収容体本体を備え、該収容体本体に、電子機器を出し入れするための口部が形成され、
前記収容体本体に、前記電子機器に搭載された磁気センサに該電子機器をスリープ状態とさせるための信号を生成させ得る磁気が着磁された永久磁石を備えたことを特徴とする電子機器収容体。
【請求項２】
矩形板状の電子機器を収容する電子機器収容体であって、
前記収容体本体は、矩形に形成された表地と裏地とを備え、前記収容体本体における一辺の縁部が前記口部とされた請求項１に記載の電子機器収容体。
【請求項３】
前記収容体本体の、長辺側の一辺の縁部が前記口部とされ、
前記永久磁石は、前記表地および裏地の短辺側の二辺のそれぞれにおける縁部寄りに装着されるとともに、短辺方向中心位置に対して略等距離だけ反対方向に位置ずれして配置され、しかも同じ短辺側における前記表地側の磁石および裏地側の磁石どうしは、短辺方向中心位置に対して略等距離だけ反対方向に位置ずれして配置されている請求項２に記載の電子機器収容体。
【発明の詳細な説明】
【技術分野】
【０００１】
本発明は、タブレットコンピュータ等の電子機器を収容するための電子機器収容体に関する。
【背景技術】
【０００２】
特許文献１に、タブレットコンピュータ（以下、単にタブレットと称する）に装着される保護カバーが記載されている。この保護カバーは、タブレット本体に、回動自在、且つ着脱自在に装着される。保護カバーは、例えば、タブレットを操作しない持ち運び時等において、操作画面に重ねてタブレットを保護するように用いられる。
【０００３】
特許文献１の保護カバーには、永久磁石が内装されている。保護カバーを操作画面に重ねると、タブレットに搭載された磁気センサであるホールセンサに永久磁石が接近して、永久磁石の磁気により、ホールセンサがタブレットをスリープ状態とさせる信号を生成する。この信号により、タブレットがスリープ状態となる。保護カバーが回動操作されて操作画面から離脱すると、永久磁石がタブレットに搭載されたホールセンサに対して遠のくから、ホールセンサに働く磁気が解除されて、タブレットのスリープ状態が解除される。
【先行技術文献】
【特許文献】
【０００４】
【特許文献１】特許第５５２８４０６号公報
【発明の概要】
【発明が解決しようとする課題】
【０００５】
上記特許文献１のように、タブレットに搭載された磁気センサに該タブレットをスリープ状態とさせる信号を生成させ得る永久磁石を内装したものが、タブレットの保護カバーとして提案されている。
【０００６】
しかしながら、タブレット等の電子機器を収容できて、しかも電子機器に搭載された磁気センサに該電子機器をスリープ状態とさせる信号を生成させ得る永久磁石を内装した電子機器収容体は、提案されていない。そこで本発明は、このような電子機器収容体の提供を目的とする。
【課題を解決するための手段】
【０００７】
本発明の電子機器収容体は、袋状に形成されるとともに、内部に電子機器を収容する収容スペースが形成された収容体本体を備え、該収容体本体に、電子機器を出し入れするための口部が形成され、前記収容体本体に、前記電子機器に搭載された磁気センサに該電子機器をスリープ状態とさせるための信号を生成させ得る磁気が着磁された永久磁石を備えたことを特徴としている。
【０００８】
上記構成の電子機器収容体によれば、電子機器を収容体本体の口部から収容体本体に収容すると電子機器全体が収容体本体により保護され、操作可能状態の電子機器では、電子機器に搭載された磁気センサが、永久磁石の磁気を検出することで電子機器をスリープ状態とさせる信号を生成して、電子機器がスリープ状態となる。
【０００９】
本発明の電子機器収容体は、矩形板状の電子機器を収容する電子機器収容体であって、前記収容体本体は、矩形に形成された表地と裏地とを備え、前記収容体本体における一辺の縁部が前記口部とされた構成を採用できる。
【００１０】
上記構成の電子機器収容体によれば、電子機器を口部から挿入すると、電子機器が収容スペースにあって、表地と裏地の間に挟まれるように収容される。
【００１１】
本発明の電子機器収容体では、前記収容体本体の、長辺側の一辺の縁部が前記口部とされ、前記表地の短辺側の二辺における縁部寄りに前記永久磁石が装着されるとともに、前記裏地の短辺側の二辺における縁部寄りに前記永久磁石が装着され、前記表地の前記永久磁石どうしは、短辺方向中心位置に対して略等距離だけ反対方向に位置ずれして配置され、前記裏地の前記永久磁石どうしは、短辺方向中心位置に対して略等距離だけ反対方向に位置ずれして配置され、しかも同じ短辺側における前記表地側の永久磁石、および裏地側の永久磁石どうしは、短辺方向中心位置に対して略等距離だけ反対方向に位置ずれして配置された構成を採用できる。
【００１２】
上記構成のような永久磁石の配置を有した電子機器収容体においては、短辺方向中心位置に対して位置ずれして磁気センサを搭載した電子機器を、その短手方向を収容体本体の短辺に沿うよう口部から挿入するのであれば、電子機器の姿勢を問うことなく収容体本体に収容しても、電子機器に搭載された磁気センサが永久磁石の磁気を検出することで、電子機器をスリープ状態とさせる信号を生成して、電子機器をスリープ状態とさせられる。
【発明の効果】
【００１３】
本発明の電子機器収容体によれば、電子機器全体が収容体本体により保護され、永久磁石の磁気により、電子機器に搭載された磁気センサが電子機器をスリープ状態とさせる信号を生成して、操作可能状態の電子機器をスリープ状態にさせられる。
【図面の簡単な説明】
【００１４】
【図１】本発明の一実施形態に係るタブレットポーチの使用状態を表す平面図である。
【図２】同別の使用状態を表す平面図である。
【図３】同タブレットが収容スペースに収容された状態の、図１におけるＡ−Ａ線断面矢視図である。
【発明を実施するための形態】
【００１５】
以下、本発明の一実施形態に係る電子機器収容体を、図１ないし図３を参照しつつ説明する。本実施形態に係る電子機器収容体は、電子機器としてiPad（登録商標）などのタブレット１を収容対象物としており、収容体はポーチとも称されることから、以下、電子機器収容体をタブレットポーチ２と称する。なお、タブレット１は周知の装置であって扁平な矩形状に形成され、図１および図２に示すように、表面に液晶タイプの操作画面３を備え、短辺方向の略中心位置に、ホームボタン４を備えている。
【００１６】
タブレットポーチ２は、ポーチ本体５を備える。ポーチ本体５は、長辺および短辺を有する表地６と、長辺および短辺を有して表地６よりも短辺方向の長い裏地７とを備える。ポーチ本体５は、表地６と裏地７の、一方の長辺側を除く三方を縫着されていることで、図３に示すように、扁平な矩形状、且つ袋状に形成されている。タブレットポーチ２では、縫着された三方で囲繞されるポーチ本体５の内部が、タブレット１を収容する収容スペース８とされている。
【００１７】
図１に示すように、裏地７の短辺が表地６の短辺に比べて長い分だけ、表地６の一方の長辺に対し裏地７の一方の長辺が位置ずれしており、表地６および裏地７の一方の長辺の間が、ポーチ本体５に、タブレット１を出し入れするための口部１０とされている。
【００１８】
収容スペース８は、タブレット１を収容するのに過不足ないサイズとされている。すなわち収容スペース８の大きさは、タブレット１を収容スペース８に収容した状態で、タブレット１の短辺方向中心と、収容スペース８の短辺方向中心とを略一致させるよう設定されている。
【００１９】
表地６および裏地７は、同様の構成を有している。表地６は厚手で柔軟性を有した表面生地１１，１２と、薄手で柔軟な風合いを有した裏面生地１３，１４（例えばフエルト製）とを重ねてなる。裏地７は厚手で柔軟性を有した表面生地１１，１２と、薄手で柔軟な風合いを有した裏面生地１３，１４（例えばフエルト製）とを重ねてなる。表地６と裏地７とは、裏面生地１３，１４どうしを収容スペース８側に対向させて、前記縫着がされている。
【００２０】
ポーチ本体５は、永久磁石Ｍ１，Ｍ２，Ｍ３，Ｍ４を備えている。各永久磁石Ｍ１，Ｍ２，Ｍ３，Ｍ４は、予めタブレット１に搭載された磁気センサ１５に、タブレット１をスリープ状態とさせるための信号を生成させ得る磁気を着磁されてなる。なお、永久磁石Ｍ１，Ｍ２，Ｍ３，Ｍ４は扁平な円板状に形成されて、一方の円形面とこれに対向する円形面との間で、磁力線が発生するよう着磁されている。
【００２１】
磁気センサ１５は、磁場（磁界）の大きさや方向を計測するセンサである。本実施形態のタブレット１では、ホームボタン４の位置が短辺方向中心に配置され、磁気センサ１５は、ホームボタン４に対し、短辺方向に位置ずれして配置されていることを前提としている。
【００２２】
磁気センサ１５は、磁界センサ、地磁気センサ、磁力計、地磁気センサとも称される。磁気センサ１５は、素子（ホール素子）のホール効果を利用したホール素子センサであり、磁場と電流の相互作用により電流にローレンツ力が加わることで起電力を発生させて地磁気を計測し、方位を測定するセンサである。また、磁気センサ１５は、地図アプリケーションやゲームアプリケーションにも用いられる。図１および図２に示すように、磁気センサ１５は、タブレット１の短辺方向中心位置に対して位置ずれして搭載されている。
【００２３】
永久磁石Ｍ１，Ｍ２，Ｍ３，Ｍ４は、表地６の短辺側の二辺における縁部寄りに配置されるとともに、裏地７の短辺側の二辺における縁部寄りに配置されている。表地６に設けられた永久磁石Ｍ１，Ｍ２どうしは、短辺方向中心位置に対して略等距離だけ反対方向に位置ずれして配置されている。裏地７に設けられた永久磁石Ｍ３，Ｍ４どうしは、短辺方向中心位置に対して略等距離だけ反対方向に位置ずれして配置されている。同じ短辺側における表地６側の永久磁石Ｍ１，Ｍ２、および裏地７側の永久磁石Ｍ３，Ｍ４どうしは、短辺方向中心位置に対して略等距離だけ反対方向に位置ずれして配置されている。
【００２４】
図３に示すように、表地６に設けられた永久磁石Ｍ１，Ｍ２は、表面生地１１と裏面生地１３との間にあって、表面生地１１に固定されている。裏地７に設けられた永久磁石Ｍ３，Ｍ４は、表面生地１２と裏面生地１４との間にあって、表面生地１２に固定されている。
【００２５】
タブレット１において、その短辺方向中心位置に対する磁気センサ１５の位置ずれ量δ１と、ポーチ本体５において、その短辺方向中心位置に対しする永久磁石Ｍ１，Ｍ２，Ｍ３，Ｍ４の位置ずれ量δ２とは、略等しく設定されている。この場合、略等しいとは、タブレット１を収容スペース８に完全に収容した際に、永久磁石Ｍ１，Ｍ２，Ｍ３，Ｍ４と磁気センサ１５とが、タブレット１の厚み方向で重なり領域を有するほどの意味合いである。
【００２６】
上記構成を備えたタブレットポーチ２では、タブレット１のユーザが、タブレット１を、その短手方向をポーチ本体５の短辺に沿わすようにして口部１０から挿入することで、タブレット１全体がポーチ本体５に覆われて衝撃等から保護される。この際、タブレット１は収容スペース８にあって、ポーチ本体５の表地６と裏地７との間に挟まれるようにして、収容される。
【００２７】
ところで、タブレット１は、ユーザによる操作画面３への手指の接触動作により操作され、一般に、ユーザが積極的にタブレット１をスリープ状態とするには、ユーザが、タブレット１の一辺側の長辺に設けられた電源ボタン１６を短時間だけ押圧操作することで行われる。
【００２８】
しかしながら、ユーザにとっては、タブレット１をスリープ状態とする操作が面倒な場合もあるし、電源ボタン１６を長めに押圧してしまうと、タブレット１がシャットダウンされてしまう場合もあって、そうなるとタブレット１の立上げに時間を要する等の不都合がある。しかしながら、本実施形態におけるタブレットポーチ２は、このような不都合を解消することができる。
【００２９】
本実施形態に係るタブレットポーチ２では、永久磁石Ｍ１，Ｍ２が表地６の短辺側の二辺における縁部寄りに配置され、永久磁石Ｍ３，Ｍ４が裏地７の短辺側の二辺における縁部寄りに配置されている。そして、表地６に設けられた永久磁石Ｍ１，Ｍ２どうしは、短辺方向中心位置に対して略等距離だけ反対方向に位置ずれして配置され、裏地７に設けられた永久磁石Ｍ３，Ｍ４どうしは、短辺方向中心位置に対して略等距離だけ反対方向に位置ずれして配置されている。しかも、同じ短辺側における表地６側の永久磁石Ｍ１，Ｍ２、および裏地７側の永久磁石Ｍ３，Ｍ４どうしは、短辺方向中心位置に対して略等距離だけ反対方向に位置ずれして配置されている。
【００３０】
例えば図１に示すように、タブレット１をポーチ本体５の収容スペース８に収容する際、ユーザがタブレット１の表面側をポーチ本体５の表地６側にし、タブレット１を他辺の長辺側から口部１０へ挿入して、図３に示すように、タブレット１を収容スペース８に収容する場合が考えられる。この場合では、図１に示すように、タブレット１の磁気センサ１５と、ポーチ本体５の表地６の、一辺の短辺の縁部寄りに配設した永久磁石Ｍ１とが、ポーチ本体５の厚み方向で対向する。したがって、ユーザがタブレット１を作動状態のまま、ポーチ本体５の収容スペース８に収容したとしても、永久磁石Ｍ１の磁気により、磁気センサ１５がタブレット１をスリープ状態とさせるための信号を生成して、タブレット１を自動的スリープ状態とさせられる。
【００３１】
タブレット１をポーチ本体５の収容スペース８に収容する際、ユーザがタブレット１の表面側をポーチ本体５の表地６側にし、タブレット１を一辺の長辺側（電源ボタン１６を配置した長辺側）から口部１０へ挿入して、タブレット１を収容スペース８に収容する場合が考えられる。この場合では、タブレット１の磁気センサ１５と、ポーチ本体５の表地６の、他辺の短辺の縁部寄りに配設した永久磁石Ｍ２とが、ポーチ本体５の厚み方向で対向する。したがって、ユーザがタブレット１を作動状態のまま、ポーチ本体５の収容スペース８に収容したとしても、永久磁石Ｍ２の磁気により、磁気センサ１５がタブレット１をスリープ状態とさせるための信号を生成して、タブレット１を自動的スリープ状態とさせられる。
【００３２】
例えば図２に示すように、タブレット１をポーチ本体５の収容スペース８に収容する際、ユーザがタブレット１の表面側をポーチ本体５の裏地７側にし、タブレット１を他辺の長辺側から口部１０へ挿入して、タブレット１を収容スペース８に収容する場合が考えられる。この場合では、図２に示すように、タブレット１の磁気センサ１５と、ポーチ本体５の裏地７の、一辺の短辺の縁部寄りに配設した永久磁石Ｍ３とが、ポーチ本体５の厚み方向で対向する。したがって、ユーザがタブレット１を作動状態のまま、ポーチ本体５の収容スペース８に収容したとしても、永久磁石Ｍ３の磁気により、磁気センサ１５がタブレット１をスリープ状態とさせるための信号を生成して、タブレット１を自動的スリープ状態とさせられる。
【００３３】
タブレット１をポーチ本体５の収容スペース８に収容する際、ユーザがタブレット１の表面側をポーチ本体５の裏地７側にし、タブレット１を一辺の長辺側（電源ボタン１６を配置した長辺側）から口部１０へ挿入して、タブレット１を収容スペース８に収容する場合が考えられる。この場合では、タブレット１の磁気センサ１５と、ポーチ本体５の表地６の、他辺の短辺の縁部寄りに配設した永久磁石Ｍ４とが、ポーチ本体５の厚み方向で対向する。したがって、ユーザがタブレット１を作動状態のまま、ポーチ本体５の収容スペース８に収容したとしても、永久磁石Ｍ４の磁気により、磁気センサ１５がタブレット１をスリープ状態とさせるための信号を生成して、タブレット１を自動的スリープ状態とさせられる。
【００３４】
以上のように、本実施形態のタブレットポーチ２によれば、ユーザがタブレット１を、その短手方向をポーチ本体５の短辺に沿うよう口部１０から挿入するのであれば、タブレット１の姿勢を問うことなくポーチ本体５に収容しても、タブレット１に搭載された磁気センサ１５が、永久磁石Ｍ１，Ｍ２，Ｍ３，Ｍ４のうち何れかの磁気を検出して、タブレット１をスリープ状態とさせる信号を生成するから、タブレット１をスリープ状態とさせられる。
【００３５】
本実施形態のタブレットポーチ２を用いれば、ユーザがタブレット１を収容スペース８に収容することで、タブレット１がスリープ状態となるから、ユーザ自身がタブレット１をスリープ状態とする操作を要しない。また、ユーザが電源ボタン１６を押圧する操作を要しないから、タブレット１がシャットダウンされてしまうこともない。
【００３６】
なお、ユーザがタブレット１を収容スペース８から取出せば、タブレット１に搭載された磁気センサ１５が永久磁石Ｍ１，Ｍ２，Ｍ３，Ｍ４の磁気を検出しなくなるから、タブレット１は復帰状態となる。
【００３７】
本発明の電子機器収容体は、タブレットポーチ２に限定されない。本発明の電子機器収容体は、例えば、電子機器の一例であるスマートフォンを収容するための収容体とすることもできる。但し、予め磁気センサが搭載されているタイプのスマートフォンに制限される。この場合の電子機器収容体は、上記実施形態におけるタブレットポーチ２を、スマートフォン用にコンパクトに設計する。
【００３８】
上記各実施形態では、永久磁石Ｍ１，Ｍ２，Ｍ３，Ｍ４を表地６および裏地７の双方に振り分けて設けた場合を例示した。しかしながら、永久磁石は、電子機器側の磁気センサに対応する位置であり、磁気センサに電子機器をスリープ状態とする信号を生成することができ、しかも電子機器の動作に磁気的に障害をさせないことを条件として、配置位置や個数、磁力の強さは制限されない。また、永久磁石の位置は、収容スペースに電子機器を収容した際に、電子機器側の磁気センサの配置位置に対応する位置であれば、特に限定されない。
【符号の説明】
【００３９】
１…タブレット、２…タブレットポーチ、３…操作画面、４…ホームボタン、５…ポーチ本体、６…表地、７…裏地、８…収容スペース、１０…口部、１１，１２…表面生地、１３，１４…裏面生地、１５…磁気センサ、１６…電源ボタン、Ｍ１，Ｍ２，Ｍ３，Ｍ４…永久磁石
【図１】
2019008698.tif 000003
【図２】
2019008698.tif 000004
【図３】
2019008698.tif 000005